(57)【要約】【課題】電池交換の手間をかけることなく、経済的で、装飾性にも優れた身体の装飾品を提供する。【解決手段】身体の装飾品としてのたとえば耳輪１０は、装飾品本体としてのたとえば耳輪本体と、導電性を有し、接続されることにより耳輪本体を留める留め部１４，１６を含む。耳輪本体には、発光ダイオード２２、発光ダイオード２２と直列に接続される電流制限抵抗２４、発光ダイオード２２に電力を供給するための二次電池２８、発光ダイオード２２，電流制限抵抗２４の直列回路に並列に接続される低損失のダイオード２６が配設される。留め部１４，１６は、スイッチの接点と、外部電源３０から二次電池２８に電力を供給するときに、外部電源３０と接続するための接点とを兼ね備える。【選択図】　　　図３
2004089378.tif 000002
【特許請求の範囲】
【請求項１】
装飾品本体、
導電性を有し、接続されることにより前記装飾品本体を留める留め部、
発光ダイオード、
前記発光ダイオードと直列に接続される電流制限抵抗、
前記発光ダイオードに電力を供給するための二次電池、および
前記発光ダイオードおよび前記電流制限抵抗の直列回路に並列に接続されるダイオードを含み、
前記留め部、前記発光ダイオード、前記電流制限抵抗、前記二次電池、前記ダイオードは、装飾品本体に形成され、
前記発光ダイオードのカソード側が前記二次電池の負極側に接続されるとともに、前記発光ダイオードのアノード側が前記二次電池の正極側に接続され、
前記ダイオードのカソード側が前記二次電池の正極側に接続されるとともに、前記ダイオードのアノード側が前記二次電池の負極側に接続され、
前記留め部は、前記発光ダイオードと前記電流制限抵抗と前記二次電池とを直列に接続するためのスイッチの接点と、外部電源から前記二次電池に電力を供給するときに、前記外部電源と接続するための接点とを兼ねていることを特徴とする、身体装飾品。
【発明の詳細な説明】
【０００１】
【発明の属する技術分野】
本願発明は、身体の装飾品に関し、特に、ピアス、イヤリング、ネクタイピン、ブレスレット、ペンダント、ブローチ、ネックレス、指輪等の身体の装飾品に関する。
【０００２】
【従来の技術】
本願発明の背景となる従来のピアス、イヤリング等には、本体内部に光源および小型の電池を有し、電池電圧によって光源を発光させるものがあった。
【０００３】
【発明が解決しようとする課題】
しかしながら、このような従来のピアスおよびイヤリング等では、電池が消耗すると、電池を交換する必要があり不経済であるとともに、電池交換の作業自体も案外に手間のかかるものであった。
【０００４】
それゆえに、本願発明の主たる目的は、電池交換の手間をかけることなく、経済的で、装飾性にも優れた身体の装飾品を提供することである。
【０００５】
【課題を解決するための手段】
本願発明は、装飾品本体と、導電性を有し、接続されることにより装飾品本体を留める留め部と、発光ダイオードと、発光ダイオードと直列に接続される電流制限抵抗と、発光ダイオードに電力を供給するための二次電池と、発光ダイオードおよび電流制限抵抗の直列回路に並列に接続されるダイオードとを含み、留め部、発光ダイオード、電流制限抵抗、二次電池、ダイオードは、装飾品本体に形成され、発光ダイオードのカソード側が二次電池の負極側に接続されるとともに、発光ダイオードのアノード側が二次電池の正極側に接続され、ダイオードのカソード側が二次電池の正極側に接続されるとともに、ダイオードのアノード側が二次電池の負極側に接続され、留め部は、発光ダイオードと電流制限抵抗と二次電池とを直列に接続するためのスイッチの接点と、外部電源から二次電池に電力を供給するときに、外部電源と接続するための接点とを兼ねていることを特徴とする、身体装飾品である。
【０００６】
【作用】
本願発明では、留め部が接続されることにより、身体の一部および衣服等に留められ、保持される。留め部を接続すると、スイッチがＯＮとなり、発光ダイオードが発光する。そのため、装飾品本体の発光部が光る。反対に、留め部の接続を解除すると、スイッチがＯＦＦとなり、発光ダイオードの発光が停止される。また、装飾品本体に設けられた二次電池が消耗した場合には、留め部を外部電源の接点に接続することによって、外部電源から二次電池に電力が供給・充電され得る。この場合、発光ダイオードには、電力が供給されないため、発光ダイオードは光らない。そのため、二次電池の余分な消耗が防止される。
本願発明によれば、留め部がスイッチの接点の機能を兼ね備える。さらに、二次電池に電力を供給・充電するときに接続される外部電源との接点も兼ね備える。したがって、本願発明によれば、スイッチ部材および外部電源との接続用の接点をそれぞれ別個に設ける必要がなく、部品点数の削減が可能となるため、小型化が可能となる。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は、本願発明の一実施例を示す斜視図解図であり、図２は、図１の実施例に適用される留め部の留め片を閉じた状態を示す斜視図解図である。また、図３は、図１および図２に示す実施例の回路図である。図４は、図１〜図３に示す実施例およびそれに適用される外部電源の接点を示す側面図解図である。図１〜図４に示す本実施例では、身体の装飾品の一例として、ピアス等の左右一対の耳輪１０について説明する。左耳用の耳輪１０と右耳用の耳輪１０とは、同じ構造を有するので、本実施例における耳輪１０の説明としては、主として、一方の耳輪１０について説明する。
【０００９】
すなわち、耳輪１０は、たとえば矩形状の絶縁体からなる装飾品本体としての耳輪本体１２を含む。耳輪本体１２には、金属等の導電性材料からなる留め片１４，１６を有する留め部１８が配設される。留め部１８は、耳輪本体１２を耳等の身体に留めるためのものである。一方の留め片１４は、耳輪本体１２の長手方向の一方側に配置され、他方の留め片１６は、耳輪本体１２の長手方向の他方側に配置される。一方の留め片１４は、その一端が耳輪本体１２に固着される湾曲状部１４ａと該湾曲状部に連接される直線状部１４ｂとを含む。他方の留め片１６は、その一端が耳輪本体１２に固着される鈎針状のフック部１６ａを含む。また、耳輪本体１２は、その中央部に、該耳輪本体１２の表面側に露出する発光部２０を備える。
【００１０】
発光部２０は、耳輪本体１２に内蔵された基板（図示せず）に配置される発光素子としてのたとえば発光ダイオード（ＬＥＤ）２２を含む。発光ダイオード２２には、たとえば図３に示すように、電流制限抵抗２４が直列に接続される。また、発光ダイオード２２および電流制限抵抗２４の直列回路には、低損失ダイオード２６が並列に接続される。さらに、発光ダイオード２２には、スイッチの接点を兼ねる留め片１４，１６を介して、電力供給源としての二次電池２８が接続される。本実施例では、二次電池２８として、極小タイプの３Ｖリチウムボタン電池等が用いられる。
【００１１】
本実施例の電気回路では、図３に示すように、発光ダイオード２２のアノード側は、電流制限抵抗２４の一端に接続され、電流制限抵抗２４の他端は、二次電池２８の正極側および低損失ダイオード２６のカソード側に接続される。二次電池２８の負極側は、スイッチの一方の接点を兼ねる留め片１４と接続される。スイッチの他方の接点を兼ねる留め片１６は、発光ダイオード２２のカソード側および低損失ダイオード２６のアノード側に接続される。
【００１２】
すなわち、本実施例の電気回路では、発光ダイオード２２のカソード側が、スイッチの接点を兼ねる留め片１４，１６を介して、二次電池２８の負極側に接続されるとともに、発光ダイオード２２のアノード側が、電流制限抵抗２４を介して、二次電池２８の正極側に接続される。さらに、低損失ダイオード２６のカソード側が二次電池２８の正極側に接続されるとともに、低損失ダイオード２６のアノード側が、スイッチの接点を兼ねる留め片１４，１６を介して、二次電池２８の負極側に接続される。
【００１３】
さらに、本実施例にかかる耳輪１０では、二次電池２８に電力を適宜供給・充電するための充電手段としてのたとえば外部電源３０が適宜接続可能となる。すなわち、外部電源３０は、たとえば図３に示すように、二次電池２８に電力を供給・充電するための電池３２を含む。電池３２としては、たとえばＤＣ３Ｖの一次電池が用いられる。この外部電源３０では、電池３２の正極側が、電流制限抵抗３４および３６を介して、それぞれ、該外部電源３０の左耳用の一方の接点３８ａおよび右耳用の一方の接点４０ａに接続される。さらに、電池３２の負極側は、該外部電源３０の左耳用の他方の接点３８ｂおよび右耳用の他方の接点４０ｂにそれぞれ接続される。
【００１４】
左右一対の耳輪１０の留め片１４，１６と外部電源３０とを接続する場合の接続部（受け口）となる外部電源３０の接点３８ａ，３８ｂ，４０ａ，４０ｂの形状は、それぞれ、留め片１４，１６の接続部１４ｂ，１６ａと接続できるような形状に形成される。本実施例に用いられる外部電源３０の接点３８ａ，３８ｂ，４０ａ，４０ｂは、たとえば図４に示すように、それぞれ、ばね性等の弾性を有する一対の挟持片４２，４４を有し、一対の挟持片４２，４４間に、留め片１４，１６の一部分１４ｃ，１６ｂを挟持して接続するタイプの形状に形成される。
【００１５】
本実施例にかかる耳輪１０では、たとえば図２に示すように、留め片１４の直線状部１４ｂが留め片１６のフック部１６ａに係止されることによって、図３に示す耳輪１０の電気回路のスイッチの接点（１４，１６）がＯＮとなり、反対に、留め片１４の直線状部１４ｂが留め片１６のフック部１６ａから外されて離間されることによって、スイッチの接点（１４，１６）がＯＦＦとなる。つまり、本実施例では、留め片１４，１６が耳輪１０の電気回路におけるスイッチの機能を兼ね備えているため、留め片１４，１６の開閉動作自体が、スイッチの接点（１４，１６）の開閉動作となっている。
【００１６】
本実施例にかかる耳輪１０では、留め片１４の直線状部１４ｂを留め片１６のフック部１６ａに係止させたとき、スイッチの接点（１４，１６）がＯＮとなり、発光ダイオード２２に電力が供給されるため、発光ダイオード２２が発光し、発光部２０が光る。
さらに、本実施例にかかる耳輪１０では、たとえば一方（左耳用）の耳輪１０の二次電池２８が消耗した場合に、適宜、たとえば図３に示す外部電源３０と接続されることによって、外部電源３０から二次電池２８に電力が供給・充電される。この場合、たとえば図４に示す外部電源３０の接点３８ａおよび３８ｂに、それぞれ、留め片１４の湾曲状部１４ａの一部分１４ｃおよび留め片１６のフック部１６ａの一部分１６ｂが挟持することにより接続される。そのため、外部電源３０から二次電池２８に電力が供給・充電される。このとき、発光ダイオード２２には、電流が通らないため、発光ダイオード２２は光らず、電力の消耗を防止することができる。
【００１７】
したがって、本実施例にかかる耳輪１０は、電池交換の手間をかけることなく、経済的で、装飾性にも優れたものとなっている。さらに、本実施例では、留め部１８の留め片１４，１６がスイッチの接点の機能を兼ね備え、さらに、二次電池２８に電力を供給・充電するときに接続される外部電源３０との接点をも兼ね備えている。すなわち、本実施例にかかる耳輪１０では、別個に、スイッチ部材および外部電源との接続用の接点をそれぞれ配設する必要がなく、部品点数を削減することができるため、極めて簡単に小型化が図れる。
【００１８】
上述の実施例では、スイッチがＯＮになると、発光ダイオード２２が常時点灯するものであるが、発光ダイオード２２を適宜点滅させる点滅回路等を上述の実施例の電気回路に組み込むようにしてもよい。さらに、上述の実施例において、二次電池２８の性能維持のためのカットオフ回路を設けてもよい。なお、上述の実施例では、外部電源３０の電池３２として一次電池が用いられたが、たとえば２次電池を用いるようにしてもよい。
【００１９】
また、耳輪１０の耳輪本体１２の形状および留め部１８の留め片１４，１６の形状は、上述の実施例に限定されるものではなく、たとえば図５（Ａ），図５（Ｂ）および図６（Ａ），図６（Ｂ）に示すように、使用者の要望に応じて、種々、変更され得るものである。さらに、外部電源３０の各接点の形状は、上述の実施例で示したものに限定されるものではなく、外部電源３０の各接点と接続される留め部１８の留め片１４，１６の形状に応じて、種々、変更される。
さらに、上述の実施例では、身体の装飾品の一例として、ピアス，イヤリング等の耳輪１０について説明したが、本願発明は、それに限定されるものではなく、ピアス，イヤリング以外にも、ネクタイピン、ブレスレット、ペンダント、ブローチ、ネックレス、指輪等の身体の装飾品にも適用され得るものである。
【００２０】
【発明の効果】本願発明によれば、電池交換の手間をかけることなく、経済的で、装飾性にも優れた身体の装飾品が得られる。
【図面の簡単な説明】
【図１】本願発明の一実施例を示す斜視図解図である。
【図２】図１の実施例に適用される留め部の留め片を閉じた状態を示す斜視図解図である。
【図３】図１および図２に示す実施例の回路図である。
【図４】図１〜図３に示す実施例およびそれに適用される外部電源の接点を示す側面図解図である。
【図５】本願発明の変形例を示す側面図解図であり、図５（Ａ）は留め部の留め片が接続されていない状態を示すもので、図５（Ｂ）は留め部の留め片が接続された状態を示すものである。
【図６】本願発明の他の変形例を示す側面図解図であり、図６（Ａ）は留め部の留め片が接続されていない状態を示すもので、図６（Ｂ）は留め部の留め片が接続された状態を示すものである。
【符号の説明】
１０　耳輪（身体の装飾品）
１２　耳輪本体（装飾品本体）
１４，１６　留め片
１８　留め部
２０　発光部
２２　発光ダイオード
２４，３４，３６　電流制限抵抗
２６　低損失ダイオード
２８　二次電池
３０　外部電源
３２　外部電源の電池
３８ａ，３８ｂ，４０ａ，４０ｂ　外部電源の接点
４２，４４　挟持片
【図１】
2004089378.tif 000003
【図２】
2004089378.tif 000004
【図３】
2004089378.tif 000005
【図４】
2004089378.tif 000006
【図５】
2004089378.tif 000007
【図６】
2004089378.tif 000008